【事件の表示】
　特許第２８８８９１４号「圧縮された柔軟な被包装物を包装する開き易く柔軟な袋とその製造方法」の特許に対する特許異議の申立てについて、次のとおり決定する。
【結　論】
　特許第２８８８９１４号の特許請求の範囲第１項ないし第６項に記載された発明についての特許を維持する。
【理　由】
１．手続の経緯・本件発明　
　本件特許第２８８８９１４号は、平成２年４月４日（優先権主張日、１９８９年４月４日、米国）に特許出願され、平成１１年２月１９日に設定の登録がなされ、その後、その請求項１ないし６に係る発明の特許に対して、異議申立人山田博より特許異議の申立てがなされたものであり、その請求項１ないし６に係る発明は、特許明細書および図面の記載からみて、その特許請求の範囲の請求項１ないし６に記載された事項により特定される以下のとおりのものである。
「【請求項１】圧縮された柔軟な被包装物を包装するほぼ矩形の開き易く柔軟な袋であり、前記柔軟な被包装物がスタック状に集められ、その厚さの方向にほぼ平行な方向に圧縮された状態に保持され、前記被包装物の袋が：１対の端部パネルによって相互に結合されている前部パネル及び後部パネルと、底部パネルと、頂部パネルとを備え、前記全てのパネルが柔軟な材料で作られており：前記被包装物の袋が、さらに、圧縮された柔軟な被包装物を集めて形成したスタックを備え、前記被包装物のほぼ平坦な面が前記袋の端面に概ね平行になるように並べられ、前記スタックの中に含まれている被包装物の最も外側の縁が、前記袋の前部パネル、後部パネル、底部パネル、頂部パネルにほぼ平行になるように並べられ、これによって、前記最も外側の被包装物の、前記スタックの各端部で完全に露出されたほぼ平坦な面が、これに隣接する端部パネルの最も内側の面に密着し、他方、前記スタックの中に含まれている前記被包装物の最も外側の縁のみが前記前部パネル、後部パネル、底部パネル、及び頂部パネルに接触し、前記端部パネルと、１対以上の前記前部パネル及び後部パネル、又は、底部パネル及び頂部パネルとが、前記圧縮された柔軟な被包装物によって形成されるスタックによって張力を加えられ、他方の対の前記前部パネル及び後部パネル、又は、底部パネル及び頂部パネルがほぼ非圧縮状態にされ：前記被包装物の袋が、さらに、容易に開く装置を備え、前記容易に開く装置がほぼ連続した形の脆弱線を有し、前記連続した形の脆弱線の一部分が前記張力を加えられる一方の端部パネルの内部にあり、前記連続した形の脆弱線の他の一部分が、これに隣接して張力を加えられないパネルの内部にあり、前記ほぼ連続した形の脆弱線が、前記端部パネルの残余の部分に対して加えられる張力と、前記ほぼ張力が加えられないパネルに設けられて妨げられずに除去される引裂き開始点に対して加えられる張力とを除去することなく、前記端部パネルの残余の部分から分離される前記端部パネルに予め定められる部分を画成し、前記端部パネルの前記予め定められる部分の形状が前記スタックに含まれている被包装物の断面積の約７５パーセントまでの範囲で概ね一致する形状であり、これによって、前記張力を殆ど加えられないパネルに設けられている引裂き開始点を掴む力が与えられ、前記張力が殆ど加えられないパネルの中に延びている部分脆弱線の引裂きが進行し、その後、前記引裂きが前記隣接する端部パネルの中に延びている前記脆弱線に沿って進行することにより、前記端部パネルの前記予め定められている部分が前記端部パネルの残余の部分から分離され、前記引裂きの進行によって前記端部パネルに形成される孔に被包装物のスタックが部分的に一致し、このようにすることによって、前記被包装物のスタックが前記孔を貫いて扇形のアレー形に延び、他方、前記端部パネルの張力を加えられている状態の部分に一致する前記スタックの部分が概ね圧縮された状態に維持されて成る圧縮された柔軟な被包装物を包装する開き易く柔軟な袋。
　【請求項２】前記脆弱線を部分的に含んで張力を殆ど加えられない前記パネルに、少なくとも１つの支持用ループ状部分が設けられ、前記ループ状部分が前記袋の運搬装置として作用する構造である請求項１に記載の圧縮された柔軟な被包装物を包装する開き易く柔軟な袋。
　【請求項３】前記前部パネルと後部パネルとが張力を加えられた状態であり、前記ループ状部分が１対の孔を含み、前記１対の孔の寸法が、使用者の指を、前記袋の張力を加えられる前部パネル及び後部パネルから垂直に延びている１対の延長パネルに挿入させることができるように決められており、前記穴の上で、前記延長パネルが相互に垂直に保持されて成る請求項２に記載の圧縮された柔軟な被包装物を包装する開き易く柔軟な袋。
　【請求項４】前記延長パネルがテーパ形であり、前記テーパ形部分が、前記袋の端部パネルから、前記延長パネルを相互に保持する部分まで延びて成る請求項３に記載の圧縮された柔軟な被包装物を包装する開き易く柔軟な袋。
　【請求項５】前記袋の張力を殆ど加えられないパネルの前記脆弱線が、真上から見た状態で、前記孔を含む前記延長パネルのテーパ形の縁に、部分的に概ね一致する構造を有して成る請求項４に記載の圧縮された柔軟な被包装物を包装する開き易く柔軟な袋。
　【請求項６】前記袋の張力を殆ど加えられないパネルの前記部分脆弱線がほぼ三角形の部分を形成し、前記三角形の部分の先端部が容易に掴みうる形状のタブを含み、前記タブに前記引裂き開始点が設けられ、前記引裂き開始点が前記引裂きを開始するための引裂き開始点である請求項５に記載の圧縮された柔軟な被包装物を包装する開き易く柔軟な袋。」
　
２．異議申立ての概要
  申立人山田博は、証拠として、甲第１号証（米国特許第４０６２１６９号明細書）、甲第２号証（米国特許第４２４１５６２号明細書）、甲第３号証（米国特許第４０７４５０８号明細書）、甲第４号証（実願昭５７−１９４５６４号［実開昭５９−９６１５５号］のマイクロフィルム）、甲第５号証（実願昭６２−１９４２７８号［実開昭６３−４４４５１号］のマイクロフィルム）および甲第６号証（特開平２−１０９８５８号公報）を提出し、
（Ａ）本件特許の請求項１ないし６に係る発明は、甲第１ないし３号証の記載を参照すれば甲第４及び５号証に記載された発明に基づいて当業者が容易に発明をすることができたものであるから、本件特許の請求項１ないし６に係る発明の特許は、特許法第２９条第２項の規定に違反してなされたものであり、
（Ｂ）本件特許の請求項１に係る発明は、本件特許の先願である甲第６号証に係る発明と実質的に同一の発明であるから、本件特許の請求項１に係る発明の特許は、特許法第３９条第１項の規定に違反してなされたものである。
ことを理由に、本件特許の請求項１ないし６に係る発明の特許は取り消すべきものである旨を主張している。
　
３．申立理由（Ａ）について
（１）申立人が提出した甲各号証
　甲第１号証には、半圧縮した被包装物を袋詰めする機械に関する発明が記載され、被包装物としてタオルが、袋の素材として、熱シール性のあるプラスチック素材が例示され、図面には、被包装物が折り畳まれた状態でほぼ矩形の袋に収納される状態が示されているものと認められる。
　甲第２号証には、プラスチックの袋に弾性のある、柔らかい、変形可能な被包装物を自動的に収納する方法に関する発明が記載され、被包装物として整理用ナプキンが例示され、図面には折り畳まれ、圧縮された物品がほぼ矩形の袋に収納される態様が示されているものと認められる。
　甲第３号証には、使い捨ておむつのような平坦で圧縮可能な物品を積み重ねて圧縮し、熱シール性のある材料で束ねるための装置に係る発明が記載されているものと認められる。
　甲第４号証には、「筒状プラスチックチューブの両端を各々谷折りしてまちを形成し、かつ上下端部をヒートシールして構成したガゼット袋において：まちを谷折りした状態で一方の表面側から；前記まちの谷より内奥に相当する位置でかつ上部位置からほぼ斜め外下方にまち部分を通って表面とまちとの稜近くまで至り内容物の被包時まちの形部分に形成するための第一部分と、この第一部分の終端から下方に下る第二部分とをもってミシン目を裏面側へ打通し；前記第一部分のミシン目間隔を小となし、第二部分のミシン目間隔を大としたことを特徴とする開封ミシン目を有するガゼット袋」（実用新案登録請求の範囲）、「本考案は、紙おむつ等に対する開封ミシン目を有するガゼット袋に関する。」（第１頁第１９〜２０行）、「開封に際しては、袋のまち８側から、ミシン目の頂部の小凸部７ａを指先で押した後、そこをつまみ出し、順次ミシン目に沿って破断しながら舌片８ｂを引き出しながら開封する。開封後は、開口から内容物２を取り出す。この場合、まち部分から取出すので、形を崩すことがないし、開封部が目立たないようになる。」（第４頁第１８行〜第５頁第４行）、「本考案は、まち部分を開封部としたので、体裁等に優れ、また表面からミシン目を打ち抜くことにより開封ミシン目を形成したので、通常施し難いまちの肩部分にもミシン目を形成できる。………さらに、たとえば実施例のように手提げ袋とした場合は、前後面に引張力が主に作用するので、正面からの取り出し方法を避けて、破断の虞がないまち部分にミシン目を形成するのが有利である。」（第６頁第４〜１４行）
等が記載され、第３、４図には、内容物を収納した状態で、収納部がほぼ矩形のガゼット袋が、その側面部を構成するまち部から頂部にかけて連続するミシン目を有し、該ミシン目に沿った破断によって、頂部からまち部にかけて開口が形成される態様が示されている。
　甲第５号証には、「セルローズおむつカバーのような柔軟かつ折りたたまれた、あるいは柔軟もしくは折りたたまれた製品等を収納するための合成物質箔製の持ち運び可能な包装袋（１）であって、……充填された状態において直方体に膨らむものであり、かつ前記包装袋（１）は近似的に矩形の前・後面部（９、１０）を備え、この前・後面部は側面部によって側面をそして折り天井部（４）によって頭部領域を接続されており、………かつ前記包装袋（１）はさらに取っ手部（２）を備えており、この取っ手部の端部（３、３’）はこの包装袋（１）の頭部領域において前記前・後部のふち部に沿って取り付けられているもの」（特許請求の範囲１）、「折り天井部（４）が引き裂きべろ（６１）を備えており、この引き裂きべろ（６１）は脆弱線（６２）もしくは接着テープによって封止されている」（特許請求の範囲６）等の記載がなされ、第３図には頂面部に施されたミシン目を引き裂いて開口部を形成する態様が示されている。
　
（２）対比・判断
　本件請求項１に係る発明と甲第４号証に記載された発明とを対比すると、
甲第４号証に記載された、「開封ミシン目を有するガゼット袋」は、「柔軟な被包装物」である紙おむつ等を包装するものであり、収納部は「ほぼ矩形」であり、包装物プラスチックチューブから形成されるので「柔軟」であり、開封ミシン目によって「開き易く」されているので、本件請求項１に係る発明の、「柔軟な被包装物を包装するほぼ矩形の開きやすく柔軟な袋」に相当し、甲第４号証に記載された紙おむつ等は折りたたまれ、積み重ねられた状態すなわちスタック状に集められて収納されていることは、図面の記載から明らかであり、甲第４号証に記載されたガゼット袋のまち部が構成する側面部は本件請求項１に係る発明の「端部パネル」に、これと連続する表面部（前後面）は、本件請求項１に係る発明の「前部パネル及び後部パネル」にそれぞれ相当し、甲第４号証に記載された「開封ミシン目」は本件請求項１に係る発明の「容易に開く装置」の「脆弱線」に相当するものとえるので、本件請求項１に係る発明と甲第４号証に記載された発明とは、
「柔軟な被包装物を包装する開きやすく柔軟な袋であって、前記柔軟な被包装物がスタック状に集められて保持され、前記被包装物の袋が容易に開く装置を備え、前記容易に開く装置がほぼ連続した形の脆弱線を有し、前記連続した形の脆弱線の一部分が一方の端部パネルの内部にあり、前記連続した脆弱線の他の一部分がこれに隣接した他の部分にあり、該他の部分の引き裂き開始点からから脆弱線の引き裂きが開始し、端部パネルの中に延びている脆弱線に沿って進行し、それによって端部パネルに孔を形成する袋」である点で一致しているが、以下の点で相違している。
（イ）本件請求項１に係る発明の被包装物がその厚さ方向に圧縮された状態で保持され、そのほぼ平坦な面が袋の端面に概ね平行になるように並べられ、スタックに含まれる被包装物の最も外側の縁が、袋の前部パネル、後部パネル、底部パネル、頂部パネルにほぼ平行になるように並べられ、これによって、最も外側の被包装物のほぼ平坦な面がこれに隣接する端部パネルの最も内側の面に密着し、端部パネルと１対以上の前部パネル及び後部パネル、又は、底部パネルと頂部パネルとが、圧縮された柔軟な被包装物によって形成されるスタックによって張力を加えられるのに対し、甲第４号証には、たたまれたおむつが積み重ねられ、そのほぼ平坦な面が袋の底面に概ね平行に並べられた態様が図面に示されているが、それらのおむつが厚さ方向に圧縮されていること、たたまれたおむつの平坦な面を袋の端面に平行に並べること、および、少なくとも袋の端面が被包装物であるおむつによって張力を与えられることについて何も記載されていない。
（ロ）本件請求項１に係る発明の、端部パネルの（脆弱線によって）予め定められる部分の形状がスタックに含まれる被包装物の断面積の約７５％までの範囲で概ね一致する形状であるのに対し、甲第４号証にはまち部のミシン目によって画成される（開口）部分について第４図によれば下方に残余の部分を有することは推認できるがまち部における開口部分の形状とおむつの断面積の関係について何も記載されていない。
（ハ）本件請求項１に記載された発明は上記（イ）（ロ）に示された構成により、（脆弱線の）引き裂きの進行によって端部パネルに形成される孔に被包装物のスタックが部分的に一致することによって、被包装物のスタックが孔を貫いて扇形に配列して延び、他方端部パネルの張力を加えられている状態の部分に一致するスタックの部分が概ね圧縮された状態で維持されるのに対し、甲第４号証に記載された袋に開口が形成された状態を示す第４図を参照してもおむつの一部が開口から延出するようなことは記載も示唆もされていない。
　そこで上記の相違点について検討する。
　甲第１ないし３号証のいずれにも、圧縮した被包装物をスタック状にして柔軟な包装材（袋あるいはシート状物）でほぼ矩形になるように包装することが示されており、いずれの場合も、包装材の少なくとも２対の面が圧縮された被包装体のスタックにより張力を加えられることは、明らかであるので、本件請求項１に係る発明の上記相違点（イ）に示す構成は、本件出願前周知の技術的事項ということができるが、甲第１ないし３号証のいずれにも、上記被包装物のスタックにより張力を与えられる包装材の面に開口部を設けることについての記載も示唆もなく、甲第４号証に記載された発明に上記の周知の技術的事項を適用して、上記相違点（ロ）（ハ）に示されるような本件請求項１に係る発明の構成となすことが当業者にとって容易になし得たことであるとすることはできない。
　さらに、甲第５号証を精査しても、上記相違点（イ）、（ロ）、（ハ）に示された本件請求項１に係る発明の構成については何も記載されていない。
　そして本願請求項１に係る発明は、上記のように、圧縮された被包装物のスタックにより張力を与えられる袋の端面に、スタックに含まれる被包装物の断面積の約７５％の範囲までで概ね一致する形状の脆弱線による孔を形成し、スタックが孔を貫いて扇形に配列するようにしたことにより、「柔軟な被包装物の使用前の容積を減少させるだけでなく、柔軟な袋の中に収容されている被包装物を殆ど全て完全に使いきるまで、この被包装物をこの袋の中に収容することができ、しかも、非常に効率良く、かつ自動的に、容易に取り出しうる状態に収容しておくことができる」という、格別の効果を奏するものである。
　以上のとおりであるから、本件請求項１に係る発明は、甲第１〜５号証に記載された発明に基づいて当業者が容易に発明をすることができたものということはできない。
　そして、本件請求項２ないし６に係る発明は、請求項１に係る発明をさらに限定したものであるから、請求項１に係る発明と同じ理由で、甲第１ないし５号証に記載された発明に基づいて当業者が容易に発明をすることができたものということはできない。
　
（３）異議申立人の主張
　異議申立人は、本件請求項１に係る発明は甲第４号証に記載のガゼット袋に甲第１ないし３号証によって周知の横方向圧縮の充填収納方式をそのまま適用したものであり、その作用効果も甲第１〜３号証および甲第４号証から当然予想できる転用の範囲のものである旨主張し、被包装物が開孔を貫いて扇形に配列することについては、甲第３号証のＦＩＧ２において上下２段の拘束のうち上下いずれかの拘束を解放した場合にも期待できる効果であると主張しているが、甲第１ないし３号証に記載された周知事項を甲第４号証に記載された発明に適用することが当業者にとって容易であるとはいえないことは上記（２）対比・判断で述べたとおりであり、被包装物の扇形配列に関する事項も、甲第３号証に上下２段の拘束のうち何れかの拘束を解放することが示されているわけでもなく、たとえ示されていたとしても、圧縮された被包装物のスタックが扇形配列となることを示すにとどまり、本件請求項１に記載された発明の構成によりもたらされる効果を示すものではない。
　したがって、上記の異議申立人の主張は採用できない。
　
４．申し立て理由（Ｂ）について
（１）異議申立人の提出した証拠
　異議申立人が第６号証として提出した特開平２−１０９８５８号公報は、本件特許の出願人が本件特許出願の優先権主張日の前の１９８８年６月２８日の英国出願の日を優先日として出願した特願平１−１６６５１５号に係る公開公報であるが、特願平１−１６６５１５号は平成１１年１２月３日に特許第３００９４０６号（以下、「先願特許」という。）として設定の登録がなされており、その請求項１ないし１１に係る発明は、明細書及び図面の記載からみて、特許請求の範囲の請求項１ないし１１に記載された以下のとおりのものである。
「【請求項１】所定の幅、長さ及び厚さを有する圧縮された複数の可撓性物品が充填された開口容易な可撓性袋であって、
前記可撓性袋は、前記可撓性物品が各々の厚さ方向と略平行な方向に圧縮された状態で前記可撓性袋に充填された後においては、互いに対向する一対の前方パネル及び一対の側方パネルと、底部パネルと、頂部パネルと、を備えてなる略直方体の形状を有しており、
前記各前方パネルは上端縁および下端縁を有するとともに前記側方パネルに連結されており、前記各側方パネルは上端縁および下端縁を有するとともに前記可撓性物品の圧縮方向に対して略垂直な方向を向いており、前記底部パネルは前記前方パネル及び前記側方パネルの下端縁に連結されており、前記頂部パネルは前記前方パネル及び前記側方パネルの上端縁に連結されており、
互いに連結された前記前方パネル及び前記側方パネルは圧縮された前記可撓性物品により引き起こされた張力を受けており、
前記可撓性袋は、張力を受ける前記側方パネルの１つに設けられるとともに前記側方パネルの所定領域に開口を設けるための開口装置を含んでおり、前記開口装置は前記側方パネルの残余の部分が受ける張力を解放することなく開口を提供することができ、
前記開口装置が作動した場合、前記側方パネルに設けられた開口と一致する圧縮された前記可撓性物品は、前記開口を経て広がって扇形に列ぶことを特徴とする、可撓性物品が充填された可撓性袋。
　【請求項２】互いに対向する前記各前方パネルに取り付けられた支持ハンドルを更に含むことを特徴とする、請求項１に記載の可撓性物品が充填された可撓性袋。
　【請求項３】前記可撓性袋は、プラスチックフィルムと、紙と、プラスチックフィルムおよび紙を組み合わせてなるラミネート構造体とからなる群から選択されたいずれか一つの材料からなることを特徴とする、請求項１に記載の可撓性分品が充填された可撓性袋。
　【請求項４】前記開口装置は、張力を受ける前記側方パネルに設けられるとともに前記開口を画定するミシン目からなることを特徴とする、請求項１に記載の可撓性物品が充填された可撓性袋。
　【請求項５】前記ミシン目は、前記頂部パネル内に僅かに延びて前記頂部パネル内に所定の領域を画定しており、前記開口装置は、前記頂部パネル内の所定の領域の付近に設けられたつまみタブを有することを特徴とする、請求項４に記載の可撓性物品が充填された可撓性袋。
　【請求項６】張力を受ける前記側方パネルに設けられたミシン目は、略垂直方向に延びており、前記ミシン目は張力を受ける前記側方パネルの高さの７５％を越えて延びていないことを特徴とする請求項４に記載の可撓性物品が充填された可撓性袋。
　【請求項７】前記開口装置が作動したとき、張力を受ける前記側方パネルに形成される開口は、前記可撓性袋の底部パネルの近傍で最も幅が広くなっており、かつ前記可撓性袋の頂部パネルに向けて内側に向かってわずかに幅が狭くなってゆくことを特徴とする請求項６に記載の可撓性物品が充填された可撓性袋。
　【請求項８】所定の幅、長さ及び厚さを有する圧縮された複数の可撓性物品が充填された開口容易な可撓性袋であって、
前記可撓性袋は、前記可撓性物品が各々の厚さ方向と略平行な方向に圧縮された状態で前記可撓性袋に充填された後においては、互いに対向する一対の前方パネル及び一対の側方パネルと、底部パネルと、頂部パネルと、を備えてなる略直方体の形状を有しており、
前記各前方パネルは上端縁および下端縁を有するとともに前記側方パネルに連結されており、前記各側方パネルは上端縁および下端縁を有するとともに前記可撓性物品の圧縮方向に対して略垂直な方向を向いており、前記底部パネルは前記前方パネル及び前記側方パネルの下端縁に連結されており、前記頂部パネルは前記前方パネル及び前記側方パネルの上端縁に連結されており、
前記頂部パネルは、前記頂部パネルの上方で上向きに突出する接合部を有しており、
互いに連結された前記前方パネル及び前記側方パネルは圧縮された前記可撓性物品により引き起こされた張力を受けており、
前記可撓性袋は、張力を受ける前記側方パネルの１つに設けられるとともに前記側方パネルの所定領域に開口を設けるための開口装置を含んでおり、前記開口装置は前記側方パネルの残余の部分が受ける張力を解放することなく開口を提供することができ、
前記開口装置は、張力を受ける前期側方パネルに設けられるとともに前記開口を画定するミシン目からなり、前記上向きのミシン目は上向きに突出する前記接合部を通って延びて前記接合部内に前記開口装置の把持領域を画定しており、
前記開口装置が作動した場合、前記側方パネルに設けられた開口と一致する圧縮された前記可撓性物品は、前記開口を経て広がって扇形に列ぶことを特徴とする、可撓性物品が充填された可撓性袋。
　【請求項９】所定の幅、長さ及び厚さを有する圧縮された複数の可撓性物品が充填された開口容易な可撓性袋であって、
前記可撓性袋は、前記可撓性物品が各々の厚さ方向と略平行な方向に圧縮された状態で前記可撓性袋に充填された後においては、互いに対向する一対の前方パネル及び一対の側方パネルと、底部パネルと、頂部パネルと、を備えてなる略直方体の形状を有しており、
前記可撓性袋内に収容された前記可撓性物品は前記可撓性袋に挿入される前の初期の非圧縮状態における厚さに比べて５０％の厚さとなるまで圧縮されており、
前記各前方パネルは上端縁および下端縁を有するとともに前記側方パネルに連結されており、前記各側方パネルは上端縁および下端縁を有するとともに前記可撓性物品の圧縮方向に対して略垂直な方向を向いており、前記底部パネルは前記前方パネル及び前記側方パネルの下端縁に連結されており、前記頂部パネルは前記前方パネル及び前記側方パネルの上端縁に連結されており、
互いに連結された前記前方パネル及び前記側方パネルは圧縮された前記可撓性物品により引き起こされた張力を受けており、
前記可撓性袋は、張力を受ける前記側方パネルの１つに設けられるとともに前記側方パネルの所定領域に開口を設けるための開口装置を含んでおり、前記開口装置は前記側方パネルの残余の部分が受ける張力を解放することなく開口を提供することができ、
前記開口装置が作動した場合、前記側方パネルに設けられた開口と一致する圧縮された前記可撓性物品は、前記開口を経て広がって扇形に列ぶことを特徴とする、可撓性物品が充填された可撓性袋。
　【請求項１０】所定の幅、長さ及び厚さを有する圧縮された複数の可撓性物品が充填された開口容易な可撓性袋であって、
前記可撓性袋は、前記可撓性物品が各々の厚さ方向と略平行な方向に圧縮された状態で前記可撓性袋に充填された後においては、互いに対向する一対の前方パネル及び一対の側方パネルと、底部パネルと、頂部パネルと、を備えてなる略直方体の形状を有しており、
前記可撓性袋内に収容された前記可撓性物品は前記可撓性袋に挿入される前の初期の非圧縮状態における厚さに比べて５０％の厚さとなるまで圧縮されており、
前記各前方パネルは上端縁および下端縁を有するとともに前記側方パネルに連結されており、前記各側方パネルは上端縁および下端縁を有するとともに前記可撓性物品の圧縮方向に対して略垂直な方向を向いており、前記底部パネルは前記前方パネル及び前記側方パネルの下端縁に連結されており、前記頂部パネルは前記前方パネル及び前記側方パネルの上端縁に連結されており、
前記可撓性袋は、互いに対向する前記前方パネルに取り付けられた支持ハンドルを有しており、
互いに連結された前記前方パネル及び前記側方パネルは圧縮された前記可撓性物品により引き起こされた張力を受けており、
前記可撓性袋は、張力を受ける前記側方パネルの１つに設けられるとともに前記側方パネルの所定領域に開口を設けるための開口装置を含んでおり、前記開口装置は前記側方パネルの残余の部分が受ける張力を解放することなく開口を提供することができ、
前記開口装置が作動した場合、前記側方パネルに設けられた開口と一致する圧縮された前記可撓性物品は、前記開口を経て広がって扇形に列ぶことを特徴とする、可撓性物品が充填された可撓性袋。
　【請求項１１】所定の幅、長さ及び厚さを有する圧縮された複数の可撓性物品が充填された開口容易な可撓性袋であって、
前記可撓性袋は、前記可撓性物品が各々の厚さ方向と略平行な方向に圧縮された状態で前記可撓性袋に充填された後においては、互いに対向する一対の前方パネル及び一対の側方パネルと、底部パネルと、頂部パネルと、を備えてなる略直方体の形状を有しており、
前記可撓性袋は、プラスチックフィルムと、紙と、プラスチックフィルムおよび紙を組み合わせてなるラミネート構造体とからなる群から選択されたいずれか一つの材料からなり、
前記可撓性袋内に収容された前記可撓性物品は前記可撓性袋に挿入される前の初期の非圧縮状態における厚さに比べて５０％の厚さとなるまで圧縮されており、
前記各前方パネルは上端縁および下端縁を有するとともに前記側方パネルに連結されており、前記各側方パネルは上端縁および下端縁を有するとともに前記可撓性物品の圧縮方向に対して略垂直な方向を向いており、前記底部パネルは前記前方パネル及び前記側方パネルの下端縁に連結されており、前記頂部パネルは前記前方パネル及び前記側方パネルの上端縁に連結されており、
互いに連結された前記前方パネル及び前記側方パネルは圧縮された前記可撓性物品により引き起こされた張力を受けており、
前記可撓性袋は、張力を受ける前記側方パネルの１つに設けられるとともに前記側方パネルの所定領域に開口を設けるための開口装置を含んでおり、前記開口装置は前記側方パネルの残余の部分が受ける張力を解放することなく開口を提供することができ、
前記開口装置が作動した場合、前記側方パネルに設けられた開口と一致する圧縮された前記可撓性物品は、前記開口を経て広がって扇形に列ぶことを特徴とする、可撓性物品が充填された可撓性袋。」
　
（２）対比・判断
　先願特許の請求項１に係る発明の「圧縮された複数の可撓性物品」、「略直方体」、「開口容易な可撓性袋」、「互いに対向する一対の前方パネル」、「一対の側方パネル」、「開口装置」、「開口」、および、先願特許の（請求項１に係る発明をさらに限定している）請求項４に係る発明の「ミシン目」は、本件請求項１に係る発明の「圧縮された被包装物」、「ほぼ矩形」、「開き易く柔軟な袋」、「前部パネルおよび後部パネル」、「１対の端部パネル」、「容易に開く装置」、「孔」、および、「連続した形の脆弱線」にそれぞれ相当しており、先願発明の請求項１に係る発明の側方パネル前方パネル、底部パネル、頂部パネルの相互の関係、それらのパネルと圧縮された可撓性物品並びに開孔装置の配置、開口装置は側方パネルの残余の部分が受ける張力を解放することなく開口を提供する態様、および袋の側方パネルに開口が形成されたとき可撓性物品が開口を経て扇形に列ぶ態様は、本件請求項１に係る発明の端部パネル、前部パネル、後部パネル、底部パネル、頂部パネルの相互の関係、それらのパネルと圧縮された被包装物並びに容易に開く装置との配置、連続した形の脆弱線が引き裂かれるとき袋にかかる張力の状態および、袋の端部パネルに孔が形成されたときに被包装物のスタックが孔を貫いて扇形に配列する態様と実質的に同じである。
　したがって、先願特許の請求項４に係る発明は、本件請求項１に係る発明の
ａ．連続した形の脆弱線の一部分が（端部パネルに隣接して）張力を加えられないパネルの内部にあり、引き裂き開始点が前記張力を加えられないパネルに設けられている（以下、「構成ａ」という。）
ｂ．端部パネルに脆弱線が画成するところの、予め定められる部分の形状が前記スタックに含まれている被包装物の断面積の約７５パーセントまでの範囲で概ね一致する形状である（以下、「構成ｂ」という。）
という構成を欠いているが、他の点では、概ね一致しているということができる。
　そこで上記の構成ａ、ｂについてみると、先願特許の請求項５に係る発明は、請求項４に係る発明の構成に加えて、「ミシン目が頂部パネル内に延びて、頂部パネル内に所定の領域を画定」しており、該頂部パネルに達するミシン目の区域から開口を切裂き始めるという実施例の記載からみて、上記構成ａと実質的に同一の構成を具備しているということができ、先願特許の請求項６に係る発明は、請求項４に係る発明の構成に加えて、「ミシン目は張力を受ける前記側方パネルの高さの７５％を越えて延びていない」としており、上記構成ｂに係る本件の明細書の記載を参照すると、先願特許の請求項６に係る発明は、本件請求項１に係る発明の上記構成ｂと実質的に同一の構成を具備しているということができる。
　しかし、上記先願特許の請求項５及び６に係る発明のいずれも上記構成ａ、ｂの両者を具備するものではないので、それらの構成をともに具備する本件請求項１に係る発明と同一の発明ということはできない。
　さらに、先願特許の他の請求項に係る発明を精査しても、本件請求項１に係る発明の構成を全て具備した発明は見いだせない。
　したがって、本件請求項１に係る発明は、先願特許の請求項１ないし１１に係る発明のいずれとも同一のものということはできない。
　そして、本件請求項２ないし６に係る発明は、請求項１に係る発明をさらに限定したものであるから、請求項１に係る発明と同じ理由で、先願特許の請求項１ないし１１に係る発明のいずれとも同一のものということはできない。
　
（３）異議申立人の主張
　異議申立人は、「本件特許の請求項１の構成の大部分は甲第６号証の請求項１〜４と一致し、残余の部分も甲第６号証の明細書ないし図面に記載の作用効果と対応している」として、本件特許の発明は、甲第６号証の発明の後願発明に相当する旨主張しているが、特許法３９条第１項に規定する「同一の発明」の判断は、特許請求の範囲の記載に基づいてすべきものであり、先願の明細書あるいは図面に記載があったとしても、本件特許の請求項１ないし６に係る発明と同一の発明が、先願特許の特許請求の範囲として、いずれの請求項にも記載されていない以上、上記の主張は採用できない。
５．むすび
　以上のとおりであるから、特許異議申立ての理由及び証拠によっては、本件特許の請求項１ないし６に係る発明の特許を取り消すことはできない。
　また、他に、本件特許の請求項１ないし６に係る発明の特許を取り消すべき理由を発見しない。　
　よって、結論のとおり決定する。
【異議決定日】
平成１２年３月３日（２０００．３．３）